(57)【要約】      （修正有）【課題】組み合せ部で繰り返し組み合せることによって、適切な大きさに迅速に拡大し、異なるサイズの物品を覆い、物品のぶつかり防止や、防水及び耐湿性の効果を達成できる空気袋装置を提供する。【解決手段】四つ以上の空気袋１を用いて物品を覆う。例えば、一つの空気袋１の上下側縁及び左右側縁を一つの空気袋１となるように取り外し可能に組み合せて、より大きな空気袋１を拡大して形成し、空気袋装置が四つ以上の空気袋１で物品４を覆う。そして、各空気袋１の第１組み合せ部２と第２組み合せ部３を、それぞれ、他の空気袋１の第２組み合せ部３と第１組み合せ部２に組み合せ、より大きな空気袋１で密封空間を形成する。物品４は空気袋装置の内部に閉じられて覆われ、物品４のぶつかり防止や、防水及び耐湿性の効果を達成できる。また、第１組み合せ部２と第２組み合せ部３とを、マジックテープ（登録商標）、ファスナーまたは押さえ棒にしても同じ効果が得られる。【選択図】図１０
0003158646.tif 000002
【実用新案登録請求の範囲】
【請求項１】
空気袋と、
前記空気袋の二つの側縁にそれぞれ固定された二つの第１組み合せ部と、
前記二つの第１組み合せ部に対応し、前記空気袋の他の二つの側縁にそれぞれ固定された二つの第２組み合せ部と、を含む空気袋装置。
【請求項２】
前記空気袋は、本体とエア室と給気口とを有し、前記エア室は前記本体の内部に設けられ、外部環境から遮断され、前記給気口は前記本体に設けられ、前記給気口は前記エア室と前記外部環境とを連通することを特徴とする請求項１に記載の空気袋装置。
【請求項３】
前記第１組み合せ部と前記第２組み合せ部とは、マジックテープ、ファスナー、押さえ棒の何れか１つであることを特徴とする請求項１または２に記載の空気袋装置。
【請求項４】
前記空気袋は、もう一つの空気袋と取り外し可能に組み合せられ、前記もう一つの空気袋は、二つの第１組み合せ部と二つの第２組み合せ部とを有し、前記空気袋の前記第１組み合せ部と前記第２組み合せ部は、それぞれ、前記もう一つの空気袋の前記第２組み合せ部と前記第１組み合せ部に組み合せられ、前記空気袋と前記もう一つの空気袋により、密封空間を形成することを特徴とする請求項１ないし３のいずれかに記載の空気袋装置。
【請求項５】
前記密封空間内に物品が置かれ、前記空気袋と前記もう一つの空気袋は前記物品を覆うことを特徴とする請求項４に記載の空気袋装置。
【請求項６】
前記物品は、携帯電話、ＰＤＡ、ＭＰ３、ノートパソコンまたはラゲージの何れか1つであることを特徴とする請求項５に記載の空気袋装置。
【請求項７】
複数の空気袋を有する空気袋装置であって、
各前記空気袋が他の前記空気袋に取り外し可能に組み合せられ、前記複数の空気袋で密封空間を形成することを特徴とする空気袋装置。
【請求項８】
各前記空気袋は、二つの第１組み合せ部と二つの第２組み合せ部とを有し、各前記空気袋の前記第１組み合せ部と前記第２組み合せ部は、それぞれ、他の前記空気袋の前記第２組み合せ部と前記第１組み合せ部に組み合せられ、前記複数の空気袋は前記密封空間を形成することを特徴とする請求項７に記載の空気袋装置。
【請求項９】
前記第１組み合せ部と前記第２組み合せ部とが、マジックテープ、ファスナーまたは押さえ棒であることを特徴とする請求項８に記載の空気袋装置。
【請求項１０】
前記密封空間内に物品が置かれ、前記複数の空気袋は前記物品を覆うことを特徴とする請求項７ないし９に記載の空気袋装置。
【考案の詳細な説明】
【技術分野】
【０００１】
本考案は、空気袋装置に関し、特に、物品のぶつかり防止や、防水及び耐湿性の役割を有し、物品を覆う保護装置に関するものである。
【背景技術】
【０００２】
貴重且つ精密的な物品を運送または携帯する際に、別にパッケージやボックスなどの包装ケースに物品を収容しなければならない。パッケージボックス内には複数の空気袋が配置され、該空気袋で物品を固定し、耐震や防圧の効果を得て、物品が外力からのぶつかりまたは圧迫で損壊されることを防いでいる。
【０００３】
しかし、従来の空気袋装置は、パッケージボックスの内部に空気袋を置いて使用する。パッケージボックスは、物品の大きさに応じて異なった大きさのパッケージボックスに交換しなければならなく、使用上の不便となってしまう。また、パッケージボックスは、そのサイズが固定されており、携帯して使用するには不便があり、且つ、より大きな収納空間が必要である。
【０００４】
そのため、本考案者は、上記欠点に着目して、長年以来この分野で積み立てた経験により、専念な観察かつ研究をし、さらに学術理論の運用に合せ、合理的な設計かつ前記欠点を有効に改善できる本考案を提案した。
【考案の概要】
【考案が解決しようとする課題】
【０００５】
本考案の目的は、組み合せ部で繰り返し組み合せることによって、空気袋装置を迅速に適切な大きさに拡大して、異なる体積の物品を覆い、物品のぶつかり防止や、防水及び耐湿性の効果を達成できる空気袋装置を提供することにある。
【課題を解決するための手段】
【０００６】
前記目的を達成するため、本考案は、空気袋と、前記空気袋の二つの側縁にそれぞれ固定された二つの第１組み合せ部と、前記二つの第１組み合せ部に対応し、前記空気袋の他の二つの側縁にそれぞれ固定された二つの第２組み合せ部と、を含む空気袋装置を提供する。
【０００７】
本考案は、さらに、複数の空気袋を有する空気袋装置であって、各前記空気袋が他の前記空気袋に取り外し可能に組み合せられ、前記複数の空気袋で密封空間を形成することを特徴とする空気袋装置を提供する。
【考案の効果】
【０００８】
本考案は、以下の有益な効果を有する。
１、物品の体積の大きさに応じて、第１組み合せ部と第２組み合せ部とを繰り返し組み合せて、空気袋装置を適切な大きさに拡大することができる。物品の外部を覆う空気袋は、優れた緩衝、耐震効果を有し、物品のぶつかり防止や、防水及び耐湿性の効果を達成できる。
２、組み合せて拡大された空気袋は、第１組み合せ部と第２組み合せ部とを迅速に取り外すこともできるので、収納や携帯するのに占める空間を削減し、使用し易くなる。
【０００９】
本考案の特徴及び技術内容をさらに了解するため、以下に本考案に関る詳しい説明及び添付図面を参照することにより、深く且つ具体的な了解を得られるが、それらの添付図面が参考及び説明のみに使われ、本考案の主張範囲を狭義的に局限するものではない。
【図面の簡単な説明】
【００１０】
【図１】図１は、本考案による空気袋装置の斜視図である。
【図２】図２は、本考案による空気袋装置の好適な第一実施例を示す図である。
【図３】図３は、本考案による第１組み合せ部と第２組み合せ部とが互いに組み合せられる状態を示す図である。
【図４】図４は、本考案による第１組み合せ部と第２組み合せ部とが互いに組み合せられる他の状態を示す図である。
【図５】図５は、本考案による空気袋装置の他の好適な第一実施例を示す図である。
【図６】図６は、本考案による空気袋装置のもう一つの好適な第一実施例を示す図である。
【図７】図７は、本考案による空気袋装置の好適な第二実施例を示す図である。
【図８】図８は、本考案による空気袋装置の他の好適な第二実施例を示す図である。
【図９】図９は、本考案による組み合せ拡大された空気袋装置の斜視図である。
【図１０】図１０は、本考案による空気袋装置の好適な第三実施例を示す図である。
【考案を実施するための形態】
【００１１】
図１を参照すると、本考案による空気袋装置は、少なくとも一つの空気袋１と、少なくとも二つの第１組み合せ部２と、少なくとも二つの第２組み合せ部３とを含む。
【００１２】
空気袋１は、フレキシブル材質で作製される。空気袋１は、本体１１とエア室１２と給気口１３とを有する。本体１１は、両枚のシート１１１が結合されてなり、該両枚のシート１１１の周縁同士が固着して固着部１１２が形成され、エア室１２を画定して形成し、本体１１内部に位置されているエア室１２を外部環境から隔絶させる。給気口１３は本体１１の表面に設けられる。給気口１３は、エア室１２と外部環境とを連通させ、外部環境のエアが給気口１３からエア室１２内に入り込み、エアを本体１１内部に充填する。また、外部環境のエアは、エアポンプ（図示せず）または口吹きの方式で給気口１３内に吹き込まれる。よって、本体１１内部に充填されたエア給気量が、空気袋１の膨脹程度を決定する。エアの加圧縮性によって、空気袋１が充分の表面柔軟性を有し、良好な耐震、防圧の効果が得られる。
【００１３】
第１組み合せ部２と第２組み合せ部３とは互いに組み合せることができる。これらの第１組み合せ部２及びこれらの第２組み合せ部３は、空気袋１の固着部１１２に固定される。第１組み合せ部２と第２組み合せ部３は、対称的に空気袋１の周縁に設けられる。よって、空気袋１はもう一つの空気袋１と組み合せることで、より大きな空気袋１に拡大することができる。例えば、図１に示す空気袋１の平面視において、二つの第１組み合せ部２を空気袋１の上側縁及び左側縁にそれぞれ固定させ、二つの第２組み合せ部３を空気袋１の下側縁及び右側縁にそれぞれ固定させることができる。
【００１４】
使用する際に、空気袋１は、物品（例えば、携帯電話、ＰＤＡ、ＭＰ３、ノードパソコンまたはラゲージ）を覆い、第１組み合せ部２と第２組み合せ部３の組み合せにより、物品を空気袋１内部に安定に固定させ、物品のぶつかりや外力からの圧迫を防止する。本考案による空気袋装置の好適な第一実施例によると、たとえば図２に示すように、一つの空気袋１を折り畳んで、第１組み合せ部２を第２組み合せ部３に組み合せて使用する。第１組み合せ部２と第２組み合せ部３は、異なるデザインにしてもよく、例えば、第１組み合せ部２と第２組み合せ部３とを、それぞれ、マジックテープのような鈎状面２Ａとパイル状面３Ａに設計し（図２を参照する）、空気袋１が物品４の外部を覆うと、空気袋１の上側縁の鈎状面２Ａが空気袋１の下側縁のパイル状面３Ａに接着される。或いは、前述した空気袋１の左側縁の鈎状面２Ａを空気袋１の右側縁のパイル状面３Ａに接着させ、空気袋装置の内部に覆われた物品４が外力からの衝撃または圧迫を受けることを防止する。また、例えば、第１組み合せ部２と第２組み合せ部３とをそれぞれ、第１ファスナーの歯部２Ｂ及び第２ファスナーの歯部３Ｂに設計し（図３を参照する）、スライド（図示せず）により第１ファスナーの歯部２Ｂと第２ファスナーの歯部３Ｂとを噛合させることで、同じ効果が得られる。さらに、例えば、第１組み合せ部２と第２組み合せ部３とを、それぞれ、凸部２Ｃ及び凹部３Ｃに設計し（図４を参照する）、凸部２Ｃを凹部３Ｃ内に押し付けて組み合せることにより、同じ効果が得られる。空気袋１の大きさは、実際の使用状況に応じて変えることができる。図５及び図６を参照すると、空気袋１は、体積が大きなノードパソコンまたはラゲージ（物品４）を覆うこともでき、物品４が外力からの衝撃または圧迫を受けることを防止する。
【００１５】
また、本考案による空気袋装置の好適な第二実施例によると、二つの空気袋１を用いて物品を覆う。例えば、物品４の両側（上面および下面側）に空気袋１をそれぞれ一つ設ける（図７を参照する）。該二つの空気袋１のうちの一つの第１組み合せ部２と第２組み合せ部３が、それぞれ、もう一つの空気袋１の第２組み合せ部３と第１組み合せ部２に組み合せられ、密封空間を形成する。物品４を密封空間内に置くと、空気袋装置により物品４は覆われ、物品４のぶつかり防止や、防水及び耐湿性の効果を達成できる。或いは、まず二つの空気袋１を取り外し可能に予め組み合せて1つの大きな空気袋１を形成してから（図８を参照し）、その1つの大きな空気袋１を折り畳んで物品４を覆うこともできる。また、第１組み合せ部２と第２組み合せ部３とをマジックテープ、ファスナーまたは押さえ棒にしても同じ効果が得られる。
【００１６】
また、本考案による空気袋装置の好適な第三実施例によると、四つ以上の空気袋１を用いて物品を覆う。例えば、一つの空気袋１の上下側縁及び左右側縁を一つの空気袋１となるように取り外し可能に組み合せて、より大きな空気袋１を拡大して形成し（図９及び図１０に参照する）、空気袋装置が四つ以上の空気袋１で物品４を覆う。そして、各空気袋１の第１組み合せ部２と第２組み合せ部３を、それぞれ、他の空気袋１の第２組み合せ部３と第１組み合せ部２に組み合せ、より大きな空気袋１で密封空間を形成する。物品４は空気袋装置の内部に閉じられて覆われ、物品４のぶつかり防止や、防水及び耐湿性の効果を達成できる。また、第１組み合せ部２と第２組み合せ部３とを、マジックテープ、ファスナーまたは押さえ棒にしても同じ効果が得られる。
【００１７】
以上のように、本考案は、以下の利点を有する。
１、物品の体積の大きさに応じて、第１組み合せ部と第２組み合せ部とを繰り返し組み合せて、空気袋装置を適切な大きさに拡大することができる。物品の外部を覆う空気袋は、優れる緩衝、耐震効果を有し、物品のぶつかり防止や、防水及び耐湿性の効果を達成できる。
２、組み合せて拡大された空気袋は、第１組み合せ部と第２組み合せ部とを迅速に取り外すこともできるので、収納や携帯するのに占める空間を削減し、使用し易くなる。
【００１８】
しかし、以上の説明は、単に本考案の好ましい具体的な実施例の詳細説明及び図面に過ぎず、本考案の実用新案登録請求の範囲を局限するものではなく、いずれの当該分野における通常の知識を有する専門家が本考案の分野の中で、適当に変更や修飾などを実施できるが、それらの実施のことが本考案の主張範囲内に納入されるべきことは言うまでもないことである。
【符号の説明】
【００１９】
１  空気袋
１１  本体
１２  エア室
１３  給気口
１１１  シート
１１２  固着部
２  第１組み合せ部
３  第２組み合せ部
２Ａ  鈎状面
３Ａ  パイル状面
２Ｂ  第１ファスナーの歯部
３Ｂ  第２ファスナーの歯部
２Ｃ  凸部
３Ｃ  凹部
４  物品
【図１】
0003158646.tif 000003
【図２】
0003158646.tif 000004
【図３】
0003158646.tif 000005
【図４】
0003158646.tif 000006
【図５】
0003158646.tif 000007
【図６】
0003158646.tif 000008
【図７】
0003158646.tif 000009
【図８】
0003158646.tif 000010
【図９】
0003158646.tif 000011
【図１０】
0003158646.tif 000012
【手続補正書】
【提出日】平成22年2月4日(2010.2.4)
【手続補正１】
【補正対象書類名】実用新案登録請求の範囲
【補正対象項目名】全文
【補正方法】変更
【補正の内容】
【実用新案登録請求の範囲】
【請求項１】
空気袋と、
前記空気袋の二つの側縁にそれぞれ固定された二つの第１組み合せ部と、
前記二つの第１組み合せ部に対応し、前記空気袋の他の二つの側縁にそれぞれ固定された二つの第２組み合せ部と、を含む空気袋装置。
【請求項２】
前記空気袋は、本体とエア室と給気口とを有し、前記エア室は前記本体の内部に設けられ、外部環境から遮断され、前記給気口は前記本体に設けられ、前記給気口は前記エア室と前記外部環境とを連通することを特徴とする請求項１に記載の空気袋装置。
【請求項３】
前記第１組み合せ部と前記第２組み合せ部とは、マジックテープ（登録商標）、ファスナー、押さえ棒の何れか１つであることを特徴とする請求項１または２に記載の空気袋装置。
【請求項４】
前記空気袋は、もう一つの空気袋と取り外し可能に組み合せられ、前記もう一つの空気袋は、二つの第１組み合せ部と二つの第２組み合せ部とを有し、前記空気袋の前記第１組み合せ部と前記第２組み合せ部は、それぞれ、前記もう一つの空気袋の前記第２組み合せ部と前記第１組み合せ部に組み合せられ、前記空気袋と前記もう一つの空気袋により、密封空間を形成することを特徴とする請求項１ないし３のいずれかに記載の空気袋装置。
【請求項５】
前記密封空間内に物品が置かれ、前記空気袋と前記もう一つの空気袋は前記物品を覆うことを特徴とする請求項４に記載の空気袋装置。
【請求項６】
前記物品は、携帯電話、ＰＤＡ、ウォークマン（登録商標）、ノートパソコンまたはラゲージの何れか1つであることを特徴とする請求項５に記載の空気袋装置。
【請求項７】
複数の空気袋を有する空気袋装置であって、
各前記空気袋は、二つの第１組み合せ部と二つの第２組み合せ部とを有し、各前記空気袋の前記第１組み合せ部と前記第２組み合せ部は、それぞれ、他の前記空気袋の前記第２組み合せ部と前記第１組み合せ部に組み合せられ、
各前記空気袋が他の前記空気袋に取り外し可能に組み合せられ、前記複数の空気袋で密封空間を形成することを特徴とする空気袋装置。
【請求項８】
前記第１組み合せ部と前記第２組み合せ部とが、マジックテープ（登録商標）、ファスナーまたは押さえ棒であることを特徴とする請求項７に記載の空気袋装置。
【請求項９】
前記密封空間内に物品が置かれ、前記複数の空気袋は前記物品を覆うことを特徴とする請求項７または８に記載の空気袋装置。
【手続補正２】
【補正対象書類名】明細書
【補正対象項目名】００１４
【補正方法】変更
【補正の内容】
【００１４】
使用する際に、空気袋１は、物品（例えば、携帯電話、ＰＤＡ、ウォークマン（登録商標）、ノードパソコンまたはラゲージ）を覆い、第１組み合せ部２と第２組み合せ部３の組み合せにより、物品を空気袋１内部に安定に固定させ、物品のぶつかりや外力からの圧迫を防止する。本考案による空気袋装置の好適な第一実施例によると、たとえば図２に示すように、一つの空気袋１を折り畳んで、第１組み合せ部２を第２組み合せ部３に組み合せて使用する。第１組み合せ部２と第２組み合せ部３は、異なるデザインにしてもよく、例えば、第１組み合せ部２と第２組み合せ部３とを、それぞれ、マジックテープ（登録商標）のような鈎状面２Ａとパイル状面３Ａに設計し（図２を参照する）、空気袋１が物品４の外部を覆うと、空気袋１の上側縁の鈎状面２Ａが空気袋１の下側縁のパイル状面３Ａに接着される。或いは、前述した空気袋１の左側縁の鈎状面２Ａを空気袋１の右側縁のパイル状面３Ａに接着させ、空気袋装置の内部に覆われた物品４が外力からの衝撃または圧迫を受けることを防止する。また、例えば、第１組み合せ部２と第２組み合せ部３とをそれぞれ、第１ファスナーの歯部２Ｂ及び第２ファスナーの歯部３Ｂに設計し（図３を参照する）、スライド（図示せず）により第１ファスナーの歯部２Ｂと第２ファスナーの歯部３Ｂとを噛合させることで、同じ効果が得られる。さらに、例えば、第１組み合せ部２と第２組み合せ部３とを、それぞれ、凸部２Ｃ及び凹部３Ｃに設計し（図４を参照する）、凸部２Ｃを凹部３Ｃ内に押し付けて組み合せることにより、同じ効果が得られる。空気袋１の大きさは、実際の使用状況に応じて変えることができる。図５及び図６を参照すると、空気袋１は、体積が大きなノードパソコンまたはラゲージ（物品４）を覆うこともでき、物品４が外力からの衝撃または圧迫を受けることを防止する。
【手続補正３】
【補正対象書類名】明細書
【補正対象項目名】００１５
【補正方法】変更
【補正の内容】
【００１５】
また、本考案による空気袋装置の好適な第二実施例によると、二つの空気袋１を用いて物品を覆う。例えば、物品４の両側（上面および下面側）に空気袋１をそれぞれ一つ設ける（図７を参照する）。該二つの空気袋１のうちの一つの第１組み合せ部２と第２組み合せ部３が、それぞれ、もう一つの空気袋１の第２組み合せ部３と第１組み合せ部２に組み合せられ、密封空間を形成する。物品４を密封空間内に置くと、空気袋装置により物品４は覆われ、物品４のぶつかり防止や、防水及び耐湿性の効果を達成できる。或いは、まず二つの空気袋１を取り外し可能に予め組み合せて1つの大きな空気袋１を形成してから（図８を参照し）、その1つの大きな空気袋１を折り畳んで物品４を覆うこともできる。また、第１組み合せ部２と第２組み合せ部３とをマジックテープ（登録商標）、ファスナーまたは押さえ棒にしても同じ効果が得られる。
【手続補正４】
【補正対象書類名】明細書
【補正対象項目名】００１６
【補正方法】変更
【補正の内容】
【００１６】
また、本考案による空気袋装置の好適な第三実施例によると、四つ以上の空気袋１を用いて物品を覆う。例えば、一つの空気袋１の上下側縁及び左右側縁を一つの空気袋１となるように取り外し可能に組み合せて、より大きな空気袋１を拡大して形成し（図９及び図１０に参照する）、空気袋装置が四つ以上の空気袋１で物品４を覆う。そして、各空気袋１の第１組み合せ部２と第２組み合せ部３を、それぞれ、他の空気袋１の第２組み合せ部３と第１組み合せ部２に組み合せ、より大きな空気袋１で密封空間を形成する。物品４は空気袋装置の内部に閉じられて覆われ、物品４のぶつかり防止や、防水及び耐湿性の効果を達成できる。また、第１組み合せ部２と第２組み合せ部３とを、マジックテープ（登録商標）、ファスナーまたは押さえ棒にしても同じ効果が得られる。